(57)【特許請求の範囲】
【請求項１】
床面上を移動可能なカート本体と、
前記カート本体の上部に設置され、電子機器を含む物品が載置される天板と、
前記天板の下面に固定され、作業者側に延び、前記天板に載置した電子機器の操作面と同じ高さ又はこの高さより上下方向に少し離れた位置まで立ち上がるハンドルと、
を備えるナースカート。
【請求項２】
前記ハンドルは、
手で把持する把持部と、
前記カート本体に取り付けられる取付部と、
を備え、
前記把持部の最頂点の高さは、
前記天板に載置した電子機器を操作する操作面に対して上下方向に±２０ｍｍ以内である請求項１に記載のナースカート。
【請求項３】
前記ハンドルは、
手で把持する把持部と前記カート本体に取り付けられる取付部と、
を備え、
前記把持部は、
上面から見たとき前記天板の端部から少なくとも３０ｍｍ離れた位置に配置される請求項１又は２に記載のナースカート。
【請求項４】
前記ハンドルは、
手で把持する把持部と前記カート本体に取り付けられる取付部と、
を備え、
前記把持部は、
断面楕円形又は長円形の棒状に形成され、かつ、断面における長軸が前記作業者に向かって下向きに傾斜して配置される請求項１〜３のいずれか１項に記載のナースカート。
【請求項５】
前記天板は、
前記カート本体に高さ方向に移動可能に設けられ、
前記ハンドルは、
前記天板に取り付けられる請求項１〜４のいずれか１項に記載のナースカート。
【発明の詳細な説明】
【技術分野】
【０００１】
本発明は、病院や介護施設等において利用されているナースカートに関するものである。
【背景技術】
【０００２】
病院や介護施設等、特に入院設備のある病院では、床面上を移動可能なナースカートが利用されている。ナースカートは、非回診時にナースステーションのディスクに併設され、回診時に病室に移動させて利用されており、カルテなどの電子化に伴う情報端末等の電子機器であるノートブック型パーソナルコンピュータ（以下、「ノートパソコン」という。）が載置されるようになっている。ナースカートとしては、床面上を移動可能なカート本体に、ノートパソコンなどの電子機器を含む物品が載置される天板を設けるともに、把持してカート本体を移動させるハンドルを設けたものが知られている（例えば、特許文献１参照。）。ハンドルは、天板の後端部の近傍に天板の幅方向に延びて形成され、このハンドルを手で把持して引き操作又は押し操作をすることで、ナースカートが所望の位置に移動するようになっている。
【先行技術文献】
【特許文献】
【０００３】
【特許文献１】特開２０１０−１０５５４０号公報
【発明の概要】
【発明が解決しようとする課題】
【０００４】
ところで、入院設備のある病院では、毎日定時に看護師による検温、血圧測定、脈拍測定などその他の測定や便のチェック等が行われており、その結果をナースカートの天板に載置したノートパソコンによって電子カルテにリアルタイムに記入している。また、医師が入院患者に行った問診、聴診等もノートパソコンによって看護師等が電子カルテにリアルタイムに記入している。さらに、ナースステーションでは、ナースカートをディスクに併設して天板上に載置したノートパソコンを利用して電子カルテの整理や保存等の操作を行っている。これらのように、ナースカートの天板上で作業することが多くなる、特に、天板上に載置したノートパソコンを操作する作業が多くなると、ノートパソコンを操作する手の手のひらや手首を宙に浮かせた状態で操作することがあるために、操作による疲労がたまるので、ノートパソコンの操作を行う際の疲労を軽減することが望まれている。
本発明が解決しようとする課題は、天板上での作業、特に電子機器であるノートパソコンの操作を行う際の疲労を軽減することにある。
【課題を解決するための手段】
【０００５】
前記課題を解決するため、本発明は、床面上を移動可能なカート本体と、前記カート本体の上部に設置され、電子機器を含む物品が載置される天板と、前記天板の下面に固定され、作業者側に延び、前記天板に載置した電子機器の操作面と同じ高さ又はこの高さより上下方向に少し離れた位置まで立ち上がるハンドルと、を備えるナースカートを提供する。
【０００６】
これにより、天板上での作業、特に電子機器であるノートパソコンをのせてノートパソコンを操作するとき、ハンドルが作業者である操作者の操作する手の手のひらや手首又は腕をのせられる位置に配置されているために、ハンドルがリストレストを含むアームリストとして機能するので、天板上での作業、特に電子機器であるノートパソコンの操作を行う際の疲労を軽減することが可能となる。
【０００７】
この場合において、ハンドルが、手で把持する把持部とカート本体に取り付けられる取付部とからなり、把持部の最頂点を、天板に載置した電子機器を操作する操作面と同じ高さ又はこの高さより上下方向に少し離れた位置に位置することができる。また、把持部を、上面から見たとき天板の端部から少なくとも３０ｍｍ離れた位置に位置することができる。さらに、把持部を、断面楕円形又は長円形の棒状に形成し、かつ、断面における長軸が垂直方向から作業者の身体とは反対側に鋭角に傾斜した傾斜状態で配置することができる。また、天板を、カート本体に高さ方向に移動可能に設け、この天板に、ハンドルを取り付けることができる。
【発明の効果】
【０００８】
本発明によれば、天板上での作業、特に電子機器であるノートパソコンの操作を行う際の疲労を軽減することができる。
【図面の簡単な説明】
【０００９】
【図１】本発明に係る実施形態の一例のナースカートを示す斜視図である。
【図２】本実施形態のナースカートの一例を示す側面図である。
【図３】本実施形態のナースカートに用いられる天板及びハンドルの把持部の一例を示す断面図である。
【図４】本実施形態のナースカートに用いられる天板及びハンドルの把持部の他の一例を示す断面図である。
【発明を実施するための形態】
【００１０】
以下、本発明に係るナースカートの一実施形態を添付図面に基づいて説明する。図１及び図２に示すように、本実施形態のナースカート１は、床面上を移動可能なカート本体１ａを備えている。カート本体１ａは、例えば、キャスタ８を有し床面上を移動可能なベースフレーム５と、ベースフレーム５に支柱３を介して支持され、ノートパソコンなどの電子機器を含む物品が載置される天板２と、天板２とベースフレーム５との間に設けられたトレイ４と、把持して操作するハンドル６とを備えている。
【００１１】
ベースフレーム５は、床面上を移動可能に形成されているならばその構成は特に限定されず、例えば、上面（平面）から見たとき、互いに平行で間隔をあけて前後方向に延びる２つの縦フレーム部５ｂと、２つの縦フレーム部５ｂを連結する横フレーム部５ａとからＨ型に形成されている。横フレーム部５ａの両端は、縦フレーム部５ｂの中央より後端側に偏心した位置に連結されている。縦フレーム部５ｂは、側面から見たとき、横フレーム部５ａが連結されている箇所（支柱３の下端が取り付けられている箇所でもある。）の位置が一番高い屈曲状に形成されているが、これに限定されるものではなく、直線状やアーチ状等の他の形状に形成してもよい。２つの縦フレーム部５ｂの支柱３が取り付けられている箇所より後ろ側が足載せ部として形成されている。ベースフレーム５の４つの端部（２つの縦フレーム部５ｂの各前後端部）の下部には、それぞれキャスタ８が設けられており、ベースフレーム５が床面上を移動し得るようになっている。
【００１２】
ストッパ９は、ナースカート１を所定の位置に停止させるものである。ストッパ９は、ナースカート本体１ａを所定の位置に停止させることができれば特に限定されず、キャスタ８に付属するものでもよいが、例えば、横フレーム部５ａの長手方向の中央の下部にストッパ固定台５ｃを介して設けられた１つのストッパ９であることが好ましい。このストッパ９は、例えば、ストッパ固定台５ｃから下方に延びて設けられたストッパ本体９ａと、ストッパ本体９ａの下端から下方に突出した状態でストッパ本体９ａに上下方向に移動可能に設けられ、下面に緩衝材９ｄを有するストッパ当接部９ｃが下端に設けられたピストン９ｂと、ピストン９ｂをストッパ本体９ａに対して上昇させるための上昇ペダル９ｅと下降させるための下降ペダル９ｆとを備えている。上昇ペダル９ｅと下降ペダル９ｆとを操作する箇所（操作部）は、横フレーム部５ａより後ろ側（ナースカート１を上面から見たときハンドル６側）の２つの縦フレーム部５ｂの間であって、これら縦フレーム部５ｂの上面より下方に位置されている。ストッパ９が解除されてナースカート１が移動可能なときには、下降ペダル９ｆの操作部が縦フレーム部５ｂの上面近くに位置され、この下降ペダル９ｆの操作部を足で下方に踏み込むと、ストッパ本体９ａに対してピストン９ｂが下方に移動して床面に緩衝材９ｄを介してストッパ当接部９ｃが押し付けられ、ナースカート１がその位置に停止するようになっている。また、ナースカート１の移動が停止されているときには、上昇ペダル９ｅの操作部が縦フレーム部５ｂの上面近くに位置され、この上昇ペダル９ｅの操作部を足で下方に踏み込むと、ストッパ本体９ａに対してピストン９ｂが上方に移動して床面からストッパ当接部９ｃが離れ、ナースカート１の移動を行えるようになっている。
【００１３】
支柱３は、左右２つの支柱からなり、天板２を支持するものである。各支柱３は、例えば、ベースフレーム５に立設される軸筒である支柱本体３ａと、支柱本体３ａの上端から上方に突出した状態で支柱本体３ａに上下方向に移動可能に設けられたガスシリンダである昇降部３ｂとからなる。支柱本体３ａの下端は、縦フレーム部５ｂの横フレーム部５ａが連結されている位置に固定されている。ベースフレーム５に固定した２つの支柱本体３ａの互いに対向する箇所は、互いに平行で高さ方向に延びるトレイ支持面３ｃとしてそれぞれ形成されている。トレイ支持面３ｃには、トレイ４を支持するスライドレールを取り外し可能に係止する係合穴であるスロット７が高さ方向に所定の間隔をあけて多数設けられている。
【００１４】
トレイ４は、２つの支柱３の同じ高さのスロット７にそれぞれ係止された２つのガイドレールに両側部が掛け渡された状態で前後方向に移動可能に支持されている。トレイ４の前後方向の移動範囲は、特に限定されないが、例えば、縦フレーム部５ｂの足載せ部に足を載せたとき載せた足の邪魔にならない位置、例えば、トレイ４の後端が側面視（側面から見たとき）支柱３の後端側と同じ位置か又はこの位置より前後方向に少し離れた位置から上面視（上面から見たとき）天板２の後端から突出しかつトレイ４内にものを収容させたときナースカート１が後端側に倒れない位置であってトレイ４へのものの出し入れがし易い位置までの範囲であることが好ましく、このようにトレイ４を前後方向に移動し得るようにガイドレール及びトレイ４の両側部を形成することが好ましい。トレイ４としては、深さ（高さ方向の長さ）が異なる複数例えば２種のもの（深さが浅い（上下方向の高さが低い）浅底タイプの第１トレイと深さが深い深底タイプの第２トレイ）がある。これらトレイ４のうち、例えば、本実施形態では、上から第１トレイ、第１トレイ、第２トレイの３つのトレイ４を間隔をあけて３段に２つの支柱３に係止させたガイドレールを介してナースカート１に取り付けることができる。また、トレイ４の中を、取り外し可能な仕切り収容部を設けて複数の区画に仕切るようにしてもよい。これらトレイ４には、例えば、血圧計、体温計、その他の測定機器、検査機器、薬剤、包帯、ガーゼ等の必要品を収容することができる。
【００１５】
昇降部３ｂの上端に天板２の下面が取り付けられている。天板２の下面には、昇降部３ｂすなわち天板２を昇降させるための昇降レバー１１がレバー支持部２ａを介して取り付けられている。昇降レバー１１は、天板２に対して例えば押し下げると、昇降部３ｂの上端のピンが操作されて昇降部３ｂ及び天板２が上昇するようになっている。これにより、天板２を上昇させるには、昇降レバー１１を天板２に対して押し下げることにより、天板２を任意の位置に上昇させられ、一方、天板２を下降させるには、昇降レバー１１を天板２に対して押し下げながら天板２が上昇する力より大きな力で天板２を手で下方に押圧することにより、天板２を任意の位置に下降させられるようになっている。すなわち、天板２を任意の位置に調節し得るようになっている。この天板２の高さの調節範囲は、天板２すなわちナースカート１がナースステーション（ナースセンター）のディスク（天板）の下に位置させられ、かつ、天板２がナースステーションのディスク（天板）より上方に位置し得るとともに、例えば看護士が立った状態で天板２上に載置したノートパソコンの操作をし易い位置に位置し得る範囲であることが好ましく、このような位置に天板２の高さを調節し得るように支柱３（昇降部３ｂ及び固定部）を形成することが好ましい。また、この天板２の高さの調節範囲に、椅子に座って天板２上に載置したノートパソコンを操作する際に操作し易い位置が含まれていない場合には、この位置が含まれるように天板２の高さの調節範囲を設定することが好ましい。天板２の高さ（天板２の上面の高さ）を調節し得る範囲としては、具体的には一例として８０〜１１０ｃｍであることが好ましいが、これに限定されるものではない。
【００１６】
天板２は、カルテなどの電子化に伴う情報端末等の電子機器を含む物品、特に、ノートパソコンが載置可能な大きさの形状であれば特に限定されず、例えば、矩形平板状等に形成されている。天板２は、具体的には例えば、幅（左右方向の長さ）が２つの縦フレーム部５ｂの外面間の長さより若干長い寸法で、前後方向の長さが縦フレーム部５ｂの長手方向の長さより若干短い寸法の矩形平板状に形成されている。天板２は、上面（平面）から見たとき、幅方向の中央がベースフレーム５の幅方向の中央と同じ位置に位置され、かつ、前後方向の中央がベースフレーム５の前後方向の中央と同じ位置に位置されるように２つの昇降部３ｂの上端が下面に取り付けられてなる。すなわち、天板２の下面の前後方向の中央より後端よりに偏心した位置に、昇降部３ｂ（支柱３）の上端が取り付けられている。ベースフレーム５及び天板２に対する支柱３の取付位置は、前後方向の中央より後端側に偏心した位置であり、この偏心位置は、ナースステーション（ナースセンター）のディスク（天板）の上にナースカート１の天板２を位置させたときすなわちオーバーハングさせたとき、ナースステーション（ナースセンター）のディスク（天板）の下に位置させることができるナースカート１のトレイ４やベースフレーム５の範囲、すなわち、ナースステーション（ナースセンター）のディスク（天板）の上に位置させることができるナースカート１の天板２の範囲ができるだけ広い範囲で、かつ、ナースカート１の重心が極力偏らない範囲から任意に設定される。また、天板の下面には、筆記用具や書類、ノートパソコンの専用バッテリーなどの付属品等を収納する着脱可能なトレイ２ｂが取り付けられている。さらに天板２には、ハンドル６が取り付けられている。
【００１７】
ハンドル６は、把持してカート本体１ａを移動させるもので、かつ、天板２上に載置した電子機器特にノートパソコンを操作するとき、操作者の操作する手の手のひらや手首をのせられる位置に配置されているものである。すなわち、ハンドル６は、アームリスト（リストレスト）としても機能するように形成されている。ハンドル６は、把持してカート本体１ａを移動させられ、かつ、アームリストとして機能すればその形状及び配置位置は特に限定されない。ハンドル６は、例えば、天板２の後端から離れた位置でこの後端に沿った直線棒状に形成されている把持部６ａと、把持部６ａの両端を直角に折り曲げられて形成されたような両側部である取付部６ｂとから略コ字状に形成されている。
【００１８】
取付部６ｂは、側面から見て、略クランク状に形成されて先端部が天板２の下面に取り付けられている。把持部６ａは、長手方向の長さが例えば天板２の幅方向の長さと同じか若干短い寸法で形成されてなることが好ましい。把持部６ａの断面形状は、把持し易く、かつ、アームリストとして機能するならば特に限定されず、例えば、楕円状又は長円状、図３に示す例では楕円状で、かつ、長軸が垂直方向から操作者側とは反対側に鋭角に傾斜した傾斜状態で配置されている形状に形成されていることが好ましい。なお、把持部６ａの断面形状の他の例としては、例えば、水平方向に延びる細長の略矩形状の操作者側の端部を下方に湾曲させた形状に形成するようにしてもよい（図４参照。）。また、把持部６ａの断面形状の他の例としては、上面が水平で、上面より下側が湾曲した断面形状や、上方が湾曲し、下面が水平な断面形状で形成するようにしてもよい。
【００１９】
把持部６ａは、天板２の後端から離れてリストレストを含むアームリストとして機能するならばその位置は特に限定されないが、例えば、天板２の後端から上面視（上面から見たとき）水平方向に３０ｍｍ離れた位置であることが好ましく、３０〜７０ｍｍ離れた位置であることが特に好ましい。把持部６ａの天板２後端からの水平方向の位置が３０ｍｍ未満であると、把持部６ａを把持し難いとともに、手が把持部６ａと天板２後端との間に挟まれることもあり得るからである。
【００２０】
把持部６ａの高さ方向の位置つまり最頂点は、リストレストを含むアームリストとして機能するならばその位置は特に限定されないが、作業者が天板２上で作業をする作業面と同じ高さ又はこの高さより上下方向に少し離れた位置であることが好ましい。本発明でいう作業面は、天板２の大きさや形状により異なる場合があるが、天板２の上面か又は天板２上に載置したノートパソコンのパームリストが設けられている水平な第２面のどちらかである。すなわち、天板２の上面の前端側にノートパソコンを載置して、天板２の上面の後端側すなわち天板２の後端とノートパソコンとの間の天板２の上面でノートパソコンに接続した外部マウスの操作等を主として行う場合には、作業面は、天板２の上面である。また、天板２の上面に載置したノートパソコンのパームリストに設けられているマウスパッドの操作等を主として行う場合には、パームリストが設けられている水平な面が作業面となる。作業面と同じ高さ又はこの高さより上下方向に少し離れた位置とは、作業面例えば天板２の上面と同じ高さに対して上下方向に±２０ｍｍ離れた範囲内であることが好ましい。すなわち、把持部６ａの最頂点は、作業面例えば天板２の上面と同じ高さに対して上下方向に±２０ｍｍ離れた範囲内であることが好ましい。把持部６ａの最頂点が作業面例えば天板２の上面と同じ高さに対して±２０ｍｍより離れて位置されると、把持部６ａがアームリストとして機能し難くなるからである。また、ハンドル６は、把持部６ａの高さを調節し得る高さ調節機構を備えたものであってもよい。このように高さ調節機構を備えることにより、アームリストとして最適な位置に把持部６ａの位置を調節することが可能となる。
【００２１】
さて、本実施形態のナースカート１では、ベースフレーム５が床面上をキャスタ８を介して移動可能に形成されているから、病院等では例えば回診時に看護士が手でハンドル６を把持して引き操作または押し操作をすることで、ナースカート１を所望の位置に簡単に移動することができる。ナースカート１を所望の位置に移動後、看護士による検温、血圧測定、脈拍測定などその他の測定や便のチェック等を行ったり天板２上で作業をしたりするときに、ストッパ９を作動させることで、ナースカート１の移動を防止することができる。
【００２２】
また、天板２上に、カルテ等の電子化に伴う情報端末等の電子機器であるノートパソコンを載置することで、回診時にはリアルタイムで入力作業を行える。このように、ノートパソコンを操作する際、回診時にかかわらず非回診時においても、ハンドル６がアームレストとして機能するので、操作する際の手の疲労を軽減することができる。すなわち、天板２上に載置したノートパソコンを操作する際、操作者の手の手のひらや手首又は腕をハンドル６の把持部６ａにのせた状態でノートパソコンを操作できるので、ノートパソコンを操作する際の手の疲労を軽減することができ、かつ、操作する手の手のひらや手首が安定するので、操作性が向上する。
【００２３】
したがって、本実施形態のナースカート１は、天板上での作業、特に電子機器であるノートパソコンの操作を行う際の疲労を軽減することができ、かつ、操作性を向上させることができる。
【００２４】
ハンドル６の把持部６ａが、上面から見たとき天板２の後端から少なくとも３０ｍｍ離れた位置に位置されていることで、把持部６ａと天板２の後端との間に手を入れやすいので、把持部６ａを把持し易く、かつ、手が把持部６ａと天板２の後端との間に挟まれることもない。また、把持部６ａの断面形状が、楕円状又は長円状で、かつ、長軸が垂直方向から操作者側とは反対側に鋭角に傾斜した傾斜状態で配置されている形状に形成されていることで、把持部６ａを把持し易くなる。
【００２５】
把持部６ａの最頂点が、作業面例えば天板２の上面と同じ高さに対して上下方向に±２０ｍｍ離れた範囲内であることで、把持部６ａが確実にリストレストを含むアームリストとして機能するので、天板上での作業、特に電子機器であるノートパソコンの操作を行う際の疲労を確実に軽減することができ、かつ、操作性を確実に向上させることができる。
【００２６】
また、把持部６ａの最頂点が、天板２の上面と同じ高さに対して上下方向に±２０ｍｍ離れた範囲内であることで、天板２の上面の前端側にノートパソコンを載置して、天板２の上面の後端側すなわち天板２の後端とノートパソコンとの間の天板２の上面でノートパソコンに接続した外部マウスの操作をする場合には、外部マウスを操作する操作者の右手の手のひらや手首を把持部６ａにのせられるとともに、左手でノートパソコンの操作例えばキーボード操作を行う場合に、その左手の腕を把持部６ａにのせられるので、両手の疲労を軽減することができる。さらに、把持部６ａの最頂点が、天板２の上面と同じ高さに対して上下方向に±２０ｍｍ離れた範囲内であると、天板２の上面でノートパソコン以外の作業を行う際にも作業者の手の手のひらや手首又は腕をのせられるので、ノートパソコン以外の作業においても疲労を軽減することができる。
【００２７】
また、支柱３が天板２の高さの調節を行う機能を有するから、天板２をナースステーション（ナースセンター）のディスク（天板）の下に位置し得る高さに調節することで、ナースステーションのディスク（天板）の下にナースカート１を位置させる、すなわちアンダーハングすることができる。また、ナースカート１の天板２をナースステーション（ナースセンター）のディスク（天板）の上に位置し得る高さに調節することで、ナースステーションのディスク（天板）の上にナースカート１の天板２を位置させる、すなわちオーバーハングすることができる。このとき、ベースフレーム５及び天板２に対する支柱３の取付位置が後端側に偏心した位置であると、天板２を前側からナースステーションのディスク（天板）上にオーバーハングさせたとき、オーバーハングさせられる天板２の範囲を、支柱３の取付位置が前後方向の中央の場合に比して広くすることができる。
【００２８】
さらに、例えば、看護士が立った状態で天板２上に載置したノートパソコンの操作をし易い位置にナースカート１の天板２を位置させることで、看護士が立った状態でノートパソコンの操作をし易くなる。また、例えば、看護士が椅子に座った状態で天板２上に載置したノートパソコンの操作をし易い位置にナースカート１の天板２を位置させ、看護士が椅子に座った状態でノートパソコンを操作する際に、足をベースフレーム５の足載せ部に載せることで、ノートパソコンの操作がし易くなる。このとき、トレイ４を後端が側面視支柱３の後端側と同じ位置か又はこの位置より前後方向に少し離れた位置になるように位置させることで、足載せ部に足を載せる際にトレイ４が邪魔にならないので、確実にノートパソコンの操作がし易くなる。よって、本実施形態のナースカート１は、使い勝手が良く、汎用性に優れたものである。
【符号の説明】
【００２９】
１  ナースカート
１ａ  カート本体
２  天板
６  ハンドル
６ａ  把持部
６ｂ  取付部
【図１】
0005992708.tif 000002
【図２】
0005992708.tif 000003
【図３】
0005992708.tif 000004
【図４】
0005992708.tif 000005